(57)【要約】【課題】光信号の光パワーを正確に求めることができるＷＤＭ信号モニタを実現することにある。【解決手段】波長分割多重された光信号の測定を行なうＷＤＭ信号モニタに改良を加えたものである。本装置は、光信号それぞれのスペクトルを測定する分光器と、光信号の種類ごとの分光器の応答特性および各応答特性に対する波長分解能を格納する応答特性記憶手段と、分光器によって測定されたスペクトルと応答特性記憶手段の応答特性に基づいて、光信号それぞれの種類を判定する信号判定手段と、この信号判定手段の判定結果に基づいて、応答特性記憶手段の波長分解能で各光信号の光パワーを演算するパワー演算手段とを設けたことを特徴とするものである。【選択図】図１
2007278958.tif 000002
【特許請求の範囲】
【請求項１】
波長分割多重された光信号の測定を行なうＷＤＭ信号モニタにおいて、
前記光信号それぞれのスペクトルを測定する分光器と、
前記光信号の種類ごとの前記分光器の応答特性および各応答特性に対する波長分解能を格納する応答特性記憶手段と、
前記分光器によって測定されたスペクトルと前記応答特性記憶手段の応答特性に基づいて、前記光信号それぞれの種類を判定する信号判定手段と、
この信号判定手段の判定結果に基づいて、前記応答特性記憶手段の波長分解能で各光信号の光パワーを演算するパワー演算手段と
を設けたことを特徴とするＷＤＭ信号モニタ。
【請求項２】
分光器は、
前記光信号を波長分散する波長分散素子と、
この波長分散素子によって前記光信号が波長分散する方向に沿って配置され、波長分散された光信号を検出する複数のフォトダイオードと
を備えたことを特徴とする請求項１記載のＷＤＭ信号モニタ。
【請求項３】
パワー演算手段は、前記フォトダイオードそれぞれの出力を前記波長分解能で加算して光パワーを求めることを特徴とする請求項２記載のＷＤＭ信号モニタ。
【請求項４】
分光器は、
前記光信号を波長分散し、回転して波長掃引する波長分散素子と、
この波長分散素子で波長分散された光信号が集光する面上に設けられる可変スリットと、
この可変スリットを透過した光信号を検出するフォトダイオードと
を備えたことを特徴とする請求項１記載のＷＤＭ信号モニタ。
【請求項５】
パワー演算手段は、前記回折格子の回転角に応じて可変スリットのスリット幅を変更することを特徴とする請求項４記載のＷＤＭ信号モニタ。
【請求項６】
波長分解能は、光スポット径を基準にすることを特徴とする請求項１〜５のいずれかに記載のＷＤＭ信号モニタ。
【発明の詳細な説明】
【技術分野】
【０００１】
本発明は、ＷＤＭ（wavelength division multiplexing：波長分割多重）された光信号それぞれの測定を行なうＷＤＭ信号モニタに関し、詳しくは、光信号の光パワーを正確に求めることができるＷＤＭ信号モニタに関するものである。
【背景技術】
【０００２】
光ファイバによって光信号を伝送する光通信方式の一種に、ＷＤＭ通信がある。このＷＤＭ通信とは、波長の異なる複数の光信号を１本の光ファイバによって伝送する通信方式である。また、波長の異なる複数の光信号のことをＷＤＭ信号とも呼ぶ。そして、ＷＤＭ信号それぞれの光信号は、例えば短波側から１チャネル、２チャネルと数えられることが多い。
【０００３】
近年、伝送容量の拡大に伴ってＷＤＭ信号の高密度な多重化が進み、各チャネルの光信号レベル（光パワー）、ピーク波長（光信号の中心波長）、光ＳＮＲ等が重要な測定パラメータになっている。そして、これらのパラメータを監視することは、ＷＤＭ信号の品質を維持する上で不可欠である。
【０００４】
ＷＤＭ信号モニタは、波長分散素子（例えば、回折格子）を用いてＷＤＭ信号を含む被測定光を波長ごとに分光し、任意の波長幅に存在する光パワーを求め、この求めた光パワーから、前述のパラメータの測定を行う装置である。また、ＷＤＭ信号モニタには、光通信システムの一部にインライン形式で組み込み常時監視できるように、例えば小型の分光器を用いて構成されるものがあり、回折格子からの波長ごとの被測定光をアレイ型検出器（例えば、フォトダイオードアレイ）で検出する（例えば、特許文献１、２参照）。
【０００５】
ここで、図４は、フォトダイオードアレイの受光面上に収束した被測定光および被測定光のスペクトル（光パワー分布）を示した図である。図４において、複数のフォトダイオード（”受光素子”または”素子”とも呼ばれる）ＰＤが、所定の方向に沿って配置される。ここで、配置される方向をｘ軸とする。また、図４中には、一例として、３個の光信号を図示している。そして、各フォトダイオードＰＤから出力されたデータ（図４の黒丸）間を補間することにより、各光信号のスペクトル形状が求まる。
【０００６】
なお、光ファイバによって伝送される被測定光中の光信号それぞれは線スペクトルだが、被測定光をサンプリングする分光器の応答特性によって、フォトダイオードアレイ上に形成される各光信号の光スポットは、光パワーがガウシアン分布となる楕円状または円形状になる（図４参照）。
【０００７】
光スポットとは、各光信号の光ピークパワーに対して、１／ｅ２倍の光パワーとなる部分のことであり、光スポットの中心から円周までの距離（ｘ軸方向）が、光スポットの半径ωになる。
【０００８】
そして、この光スポットは、光信号のスペクトルが単一の線スペクトル、つまり、変調が行なわれていない状態で、フォトダイオダイオードＰＤのピッチｒよりも広く（例えば、３素子以上）設定される。
【０００９】
各光信号のパラメータは、分光器からのサンプリングデータに基づいて、分光器の後段に設けられる演算部が求める。例えば、各光信号は、光パワーがピークとなるフォトダイオードＰＤを求めて検出する。そして、検出した光信号の光パワーは、ピークのフォトダイオードＰＤの出力およびピーク近傍のフォトダイオードＰＤの出力から求める。例えば、下記の式（１）によって求める。
【００１０】
【数１】
2007278958.tif 000003
【００１１】
ここで、Ｐｉは、ｉチャネル目の光信号の全光パワーであり、ｆ（）は、フォトダイオードＰＤの合計出力値を光パワーに変換する関数（フォトダイオードＰＤ間の不感受帯の部分の補正、光スポットの中心位置とピークに該当するフォトダイオードＰＤの中心位置とのずれΔｘの補正等も含む）、Ｓｘは、ｘ番目の素子出力、ｍｉは、ｉチャネル目の光信号のピークを検出した素子番号であり、ｐは、正の整数であり演算に用いる素子数である。
【００１２】
また、各フォトダイオードＰＤには、あらかじめ波長が割り付けられ、被測定光が回折格子によって波長ごとに分光されて、フォトダイオードアレイ面上にて収束する位置と対応している。従って、フォトダイオードＰＤの出力から各光信号のピーク位置を求め、波長を求める。
【００１３】
【特許文献１】特許第３２３０５６５号
【特許文献２】特許第３２７５２８２号
【発明の開示】
【発明が解決しようとする課題】
【００１４】
実際の光通信システムでは、被測定光に含まれる光信号は変調され、変調方法も様々である。そのため、フォトダイオードアレイ面上で形成される変調時のスペクトル形状は、変調がない場合のスペクトル形状と比較して歪む。一般的には、変調によって１個の光信号中に複数の線スペクトルが生じるため、スペクトル形状が波長分散方向に広がり、光スポット径が大きくなる。
【００１５】
そのため、非変調時と同等の波長分解能で光パワーを測定すると、光パワーが低くなり、光パワーを正確に測ることが難しいという問題が合った。すなわち、変調した光信号では、波長分解能を広く、つまり、加算する素子数ｐを増やして演算する必要があった。
【００１６】
図５を用いて説明する。図５において、実線は、非変調時の光信号のスペクトル形状（フォトダイオードアレイ面上に形成されるもの）であり、破線は、変調した光信号のスペクトル形状を示している。
【００１７】
光パワーを精度よく求める場合、光スポット内の素子ＰＤ全てを演算に用いる必要がある。例えば、図５に示す場合、非変調の光信号ならば、波長分解能が３素子として十分な精度にて光パワーを演算することができる。一方、変調した光信号は、非変調時と同じ波長分解能の３素子で光パワーを求めると、非変調時で求めた光パワーよりも低くなり、光パワーを正確に求めることが難しいという問題があった。
【００１８】
そこで本発明の目的は、光信号の変調の有無に関わらず、光信号の光パワーを正確に求めることができるＷＤＭ信号モニタを実現することにある。
【課題を解決するための手段】
【００１９】
請求項１記載の発明は、
波長分割多重された光信号の測定を行なうＷＤＭ信号モニタにおいて、
前記光信号それぞれのスペクトルを測定する分光器と、
前記光信号の種類ごとの前記分光器の応答特性および各応答特性に対する波長分解能を格納する応答特性記憶手段と、
前記分光器によって測定されたスペクトルと前記応答特性記憶手段の応答特性に基づいて、前記光信号それぞれの種類を判定する信号判定手段と、
この信号判定手段の判定結果に基づいて、前記応答特性記憶手段の波長分解能で各光信号の光パワーを演算するパワー演算手段と
を設けたことを特徴とするものである。
請求項２記載の発明は、請求項１記載の発明において、
分光器は、
前記光信号を波長分散する波長分散素子と、
この波長分散素子によって前記光信号が波長分散する方向に沿って配置され、波長分散された光信号を検出する複数のフォトダイオードと
を備えたことを特徴とするものである。
請求項３記載の発明は、請求項２記載の発明において、
パワー演算手段は、前記フォトダイオードそれぞれの出力を前記波長分解能で加算して光パワーを求めることを特徴とするものである。
請求項４記載の発明は、請求項１記載の発明において、
分光器は、
前記光信号を波長分散し、回転して波長掃引する波長分散素子と、
この波長分散素子で波長分散された光信号が集光する面上に設けられる可変スリットと、
この可変スリットを透過した光信号を検出するフォトダイオードと
を備えたことを特徴とするものである。
請求項５記載の発明は、請求項４記載の発明において、
パワー演算手段は、前記回折格子の回転角に応じて可変スリットのスリット幅を変更することを特徴とするものである。
請求項６記載の発明は、請求項１〜５のいずれかに記載の発明において、
波長分解能は、光スポット径を基準にすることを特徴とするものである。
【発明の効果】
【００２０】
本発明によれば、信号判定手段が、応答特性記憶手段の応答特性に基づいて、各光信号の種類を判定し、応答特性に対応した波長分解能をパワー演算手段に出力する。そして、パワー演算手段が、判定された波長分解能で光信号の光パワーを演算するので、スペクトル形状に適した波長分解能で光信号の光パワーを求めることができる。これにより、光信号の変調の有無に関わらず、光信号の光パワーを正確に求めることができる。
【発明を実施するための最良の形態】
【００２１】
以下図面を用いて本発明の実施の形態を説明する。
［第１の実施例］
図１は、本発明の第１の実施例を示した構成図である。図１において、分光器１０はポリクロメータ型であり、ＷＤＭ信号を含む被測定光１００が入力され、この被測定光１００を測定したサンプリングデータである測定データを出力する。分光器１０は、所望の周期で測定を行なって測定データを出力する。
【００２２】
分光器１０は、光ファイバ１１、コリメーティングレンズ１２、波長分散素子である回折格子１３、フォーカシングレンズ１４、フォトダイオードアレイモジュール（以下ＰＤＭと略す）１５から構成される。
【００２３】
光ファイバ１１は、被測定光１００を分光器１０に入射する伝送路である。コリメーティングレンズ１２は、光ファイバ１１の出射口に対向して設置され、光ファイバ１１から出射された被測定光１００を平行光にして出射する。
【００２４】
回折格子１３は、コリメーティングレンズ１２からの出射光を所望の角度に回折するため、コリメーティングレンズ１２に対して傾けて設置してある。また、回折格子１３は、被測定光１００を波長ごと異なる角度に分光して出射する。フォーカシングレンズ１４は、回折格子１３からの出射光の光路上に設置され、出射光を収束させる。
【００２５】
ＰＤＭ１５は、被測定光１００が収束する位置に設置される。ＰＤＭ１５は、図４に示すように短冊状または点状の受光素子であるフォトダイオードＰＤが所定の方向（回折格子１３によって被測定光が波長分散される方向）に複数個配置されたフォトダイオードアレイが設けられている。ＰＤＭ１５は、フォトダイオードＰＤの光電流を電圧に変換した測定データを順番に、例えば短波長側のフォトダイオードＰＤから出力する。
【００２６】
また、各フォトダイオードＰＤには、あらかじめ波長が割り付けられている。波長の割り付けは、被測定光１００が回折格子１３によってフォトダイオードＰＤの配列方向に波長ごとに波長分散されて、フォトダイオードアレイにて収束する位置と対応している。
【００２７】
なお、分光器１０のうち、被測定光をフォトダイオードＰＤが配列される方向に波長分散させて、ＰＤＡ１５上に収束させる部分（光ファイバ１１、レンズ１２、１４、回折格子１３）は、分散光学系と呼ばれ、波長分散された被測定光を受光するＰＤＭ１５は、光検出手段とも呼ばれる。
【００２８】
演算部２０は、応答特性記憶手段２１、ピーク検出手段２２、信号判定手段２３、パワー演算手段２４を有し、分光器１０から測定データが入力され、被測定光１００に含まれる光信号それぞれのパラーメータ（光パワー、波長、光ＳＮＲ等）を演算する。
【００２９】
応答特性記憶手段２１は、非変調時の光信号（単一の線スペクトル）に対する分光器１０の応答特性、変調された光信号に対する分光器１０の応答特性のそれぞれを記憶する。なお、ＷＤＭ通信では、複数種類の変調方法が存在するので、各変調方法ごとの応答特性を記憶する。また、各応答特性に対応する波長分解能（光パワー演算の加算に用いる素子数ｐ）も記憶する。
【００３０】
ピーク検出手段２２は、分光器１０の測定データからピークを求め、光信号を検出する。信号判定手段２３は、応答特性記憶手段２１の応答特性および応答特性に対応する波長分解能を読み出し、ピーク検出手段２２によって検出された光信号それぞれの種類（変調の有無、変調方法の種類）を判定し、判定結果に基づく波長分解能をパワー演算手段２４に出力する。パワー演算手段２４は、上記の式（１）に基づいて、ピーク検出手段２２が検出した光信号それぞれに対し、信号判定手段２３が判定した波長分解能で光信号の光パワーを求める。
【００３１】
このような装置の動作を説明する。
まず、ＷＤＭ信号の測定を行なう前に、予め分光器１０の応答特性を求める。具体的には、製造時や校正時に、非変調の光信号を含む被測定光、変調した光信号を含む被測定光を順番に分光器１０に入射する。そして、分光器１０からの測定データに基づいて、応答特性算出手段（図示せず）が、光信号（非変調時、各変調時）に対する応答特性（つまり、スペクトルの形状）を求め、記憶手段２１に格納する。また、応答特性算出手段（図示せず）が、各応答特性における最適な波長分解能（光パワー演算に用いる素子数ｐ）を求め、応答特性に対応させて格納する。例えば、光スポット内に存在する素子数を、光パワー演算に用いる素子数ｐの波長分解能として格納する。
【００３２】
次に、本装置がＷＤＭ通信システムに接続され、各チャネルの光信号に最適な波長分解能を求め、各光信号の光パワーを求める動作を図２のフローチャートを用いて説明する。
分光器１０が、被測定光を測定し、測定データを演算部２０に出力する（Ｓ１０）。詳細には、被測定光１００は、ＩＴＵグリッドで周波数間隔（波長間隔）が定められた複数個の光信号が多重化されている。光ファイバ１１から出射された被測定光１００が、コリメーティングレンズ１２によって平行光となり、回折格子１３に入射する。
【００３３】
そして、被測定光１００が、回折格子１３によって波長ごとに分光（波長分散）される。回折格子１３によって分光された被測定光１００が、フォーカシングレンズ１４によってＰＤＭ１５のフォトダイオードアレイの受光面上に収束するが、収束する位置は被測定光１００の波長に対応してずれる。
【００３４】
そして、各フォトダイオードＰＤで生じた光電流は、短波長側のフォトダイオードＰＤから順に出力される。ＰＤＭ１５の図示しない変換部は、各フォトダイオードＰＤから出力された光電流を電圧に変換する。またこの電圧に変換された信号はアナログ信号なので、変換部はこのアナログ信号をデジタル信号に変換し、測定データとして演算部２０に出力する。このように、測定データは各フォトダイオードＰＤによってサンプリングされたサンプリングデータとなっている。
【００３５】
続いて、演算部２０の動作を説明する。分光器１０の測定データから、被測定光に含まれる光信号をピーク検出手段２２が検出し、各ピークに対応する素子ＰＤ番号を信号判定手段２３に出力する。そして、信号判定手段２３が、検出した光信号それぞれのスペクトル形状に基づいて各光信号の種類を判定する。例えば、信号判定手段２３が、ピークとなる素子ＰＤ出力でピーク素子ＰＤ近傍の出力を正規化し、実測のスペクトルを求める。さらに、信号判定手段２３が、応答特性記憶手段２１の応答特性、すなわち、基準となるスペクトルの形状を読み出し、読み出した基準スペクトルの形状と実測したスペクトルの形状それぞれとを比較し、相似関係によって最も類似する基準スペクトルを検索し、実測スペクトルの種類（非変調か変調されているか、また、変調されている場合の変調方法）を判定する（Ｓ１１）。
【００３６】
そして、各チャネルの光信号ごとに変調の有無、変調方法を判定し、応答特性に対応した波長分解能、つまり加算に用いる素子数ｐをパワー演算手段２３に出力する（Ｓ１２〜Ｓ１４）。
【００３７】
そして、分光器１０によって再度測定が行なわれ、測定データが演算部２０に入力される。そして、ピーク検出手段２２が、ピークを検出し、パワー演算手段２４が、ピーク検出手段２２によって検出された各チャネルの光信号ごとに、信号判定手段２３からの最適な波長分解能で各光信号の光パワーを求める。また、ピーク検出手段２２の検出したピークおよびピーク近傍の素子ＰＤから、波長演算手段（図示せず）が波長を求め、光ＳＮＲ演算手段（図示せず）が光ＳＮＲを求める（Ｓ１５）。
【００３８】
測定を続ける場合、ピーク検出手段２２が、分光器１０からの新たにサンプリングした測定データからピークを検出し、パワー演算手段２４が、式（１）にて各チャネルの光信号の光パワーを求める（Ｓ１６，Ｓ１５）。測定を続けない場合、測定を終了する（Ｓ１６）。
【００３９】
なお、光信号の種類の判定（Ｓ１０〜Ｓ１４）を行なうのは、例えば、いずれかのチャネルの変調方法が変更されたり、光信号の種類が増減された場合に行なったり、所定の周期で行なうとよい。
【００４０】
このように、信号判定手段２３が、応答特性記憶手段２１の応答特性に基づいて、各光信号の種類を判定し、応答特性に対応した波長分解能（素子数ｐ）をパワー演算手段２４に出力する。そして、パワー演算手段２４が、判定された波長分解能で光信号の光パワーを演算するので、スペクトル形状に適した波長分解能で光信号の光パワーを求めることができる。これにより、光信号の変調の有無に関わらず、光信号の光パワーを正確に求めることができる。
【００４１】
［第２の実施例］
図３は、本発明の第２の実施例を示した構成図である。ここで、図１と同一のものには同一符号を付し、説明を省略する。図１では、波長分散した光を複数の素子ＰＤで検出するポリクロメータ方式の分光器１０を用いる構成を示したが、ＰＤＭ１５の代わりに、レンズ１４の集光面上に可変スリットを設け、このスリットを透過した被測定光を単一の受光素子で検出して測定データを出力する分光器を用いた一例である。
【００４２】
図３において、分光器１０は、ＰＤＭ１５の代わりに可変スリット１７、検出器１８が設けられる。可変スリット１７は、回折格子１３で波長分散された被測定光が集光する面上に設けられ、スリット幅（被測定光が波長分散される方向の幅）が可変である。検出器１８は、フォトダイオードを有し、フォトダイオードの光電流を電圧に変換した測定データを出力する。
【００４３】
なお、回折格子１３は、回転手段（図示せず）によって回転され、この回転により被測定光の波長掃引が行なわれる。つまり、回折格子１３を回転（波長分散する面に対して垂直な軸を中心軸）させて波長掃引するので、回折格子１３の回転角度によって、スリット１７を通過する被測定光の波長が一意に求まる。
【００４４】
演算部２０は、応答特性記憶手段２１の代わりに応答特性記憶手段２５が設けられ、パワー演算手段２４の代わりにパワー演算手段２６が設けられる。
【００４５】
応答特性記憶手段２５は、非変調時の光信号（単一の線スペクトル）に対する分光器１０の応答特性、変調された光信号に対する分光器１０の応答特性のそれぞれを記憶する。なお、ＷＤＭ通信では、複数種類の変調方法が存在するので、各変調方法ごとの応答特性を記憶する。また、各応答特性に対応する波長分解能（可変スリット１７のスリット幅）も記憶する。
【００４６】
パワー演算手段２６は、信号判定手段２３の判定した波長分解能に基づき、回折格子１３の回転角に応じて可変スリット１７のスリット幅を変更する。また、パワー演算手段２６は、ピーク検出手段２２が求めた光信号それぞれに対し、光信号の光パワーを求める。
【００４７】
このような装置の動作を説明する。まず、分光器１０が測定データを出力する動作を説明する。
被測定光１００が、回折格子１３によって波長ごとに分光される。回折格子１３によって分光された被測定光１００が、フォーカシングレンズ１４によってスリット１７の面上に収束されるが、収束する位置は被測定光１００の波長に対応してずれる。
【００４８】
そして、スリット１７を透過した光のみが検出器１８のフォトダイオードで受光され、フォトダイオードで生じた光電流は、検出器１８の変換部（図示せず）で光電流から電圧に変換される。また電圧に変換された信号はアナログ信号なので、変換部はこのアナログ信号をデジタル信号に変換し、測定データとして演算部２０に出力する。
【００４９】
さらに、回転手段（図示せず）が、回折格子１３を回転させることによってスリット１７を透過する被測定光の波長を変更し、被測定光を波長掃引する。このように、測定データは回折格子１３の回転角に応じてサンプリングされたサンプリングデータとなっている。また、スリット１７のスリット幅が、波長分解能になる。その他の分光器１０の動作は図１に示す装置と同様なので説明を省略する。
【００５０】
次に、分光器１０の応答特性を求める動作を説明する。具体的には、製造時や校正時に、非変調の光信号を含む被測定光、変調した光信号を含む被測定光を順番に分光器１０に入射する。この際、可変スリット１７のスリット幅は、できるだけ細くしておく（このスリット幅による波長分解能を初期波長分解能と呼ぶ）。そして、分光器１０からの測定データに基づいて、応答特性算出手段（図示せず）が、光信号（非変調時、各変調時）に対する応答特性（つまり、スペクトルの形状）を求め、記憶手段２１に格納する。また、応答特性算出手段（図示せず）が、各応答特性における最適な波長分解能（可変スリット１７のスリット幅）を求め、応答特性に対応させて格納する。例えば、光スポット内のｘ軸方向の直径（２×ω）のスリット幅を、光パワー演算に用いる波長分解能として格納する。
【００５１】
次に、本装置がＷＤＭ通信システムに接続され、各チャネルの光信号に最適な波長分解能を求め、各光信号の光パワーを求める動作を説明する。各光信号の最適な波長分解能を求めるため、初期波長分解能にて分光器１０が、被測定光を測定し、測定データを演算部２０に出力する。
【００５２】
そして、分光器１０の測定データから、被測定光に含まれる光信号をピーク検出手段２２が検出し、各ピークに対応する回折格子１３の回転角を信号判定手段２３に出力する。そして、信号判定手段２３が、検出した光信号それぞれのスペクトル形状に基づいて各光信号の種類を判定する。例えば、信号判定手段２３が、ピークとなる測定データでピーク近傍の測定データを正規化し、実測のスペクトルを求める。さらに、信号判定手段２３が、応答特性記憶手段２１の応答特性、すなわち、基準となるスペクトルの形状を読み出し、読み出した基準スペクトルの形状と実測したスペクトルの形状それぞれとを比較し、相似関係によって最も類似する基準スペクトルを検索し、実測スペクトルの種類（非変調か変調されているか、また、変調されている場合の変調方法）を判定する。
【００５３】
そして、各チャネルの光信号ごとに変調の有無、変調方法を判定し、応答特性に対応した波長分解能、つまりスリット幅をパワー演算手段２６に出力する。
【００５４】
そして、分光器１０によって再度測定が行なわれが、パワー演算手段２６が、回折格子１３の回転角に応じて、スリット１７のスリット幅を変更する。そして、各光信号ごとにスリット幅を変更した測定データから、ピーク検出手段２２がピークを検出する。
【００５５】
さらに、パワー演算手段２４が、ピーク検出手段２２によって検出された各チャネルの光信号ごとに光パワーを求めるが、最適化されたスリット幅を透過した測定データで光パワーを求める。また、ピーク検出手段２２の検出したピークおよび回転角から、波長演算手段（図示せず）が波長を求め、光ＳＮＲ演算手段（図示せず）が光ＳＮＲを求める。その他の動作は、図１に示す装置と同様なので説明を省略する。
【００５６】
このように、信号判定手段２３が、応答特性記憶手段２１の応答特性に基づいて、各光信号の種類を判定し、応答特性に対応した波長分解能（スリット幅）をパワー演算手段２６に出力する。そして、パワー演算手段２６が、可変スリット１７のスリット幅を光信号にあわせて変更し、このスリット幅での測定データから光信号の光パワーを演算するので、スペクトル形状に適した波長分解能で光信号の光パワーを求めることができる。これにより、光信号の変調の有無に関わらず、光信号の光パワーを正確に求めることができる。
【００５７】
なお、本発明はこれに限定されるものではなく、以下に示すようなものでもよい。
分散光学系に、レンズ１２、１４を用いる構成を示したが、放物面鏡を用いてもよく、回折格子の代わりに波長分散素子にファイバーグレーティング、プリズム等を用いてもよい。
【００５８】
また、光スポットのビーム半径ωは、光信号のピーク値に対して、１／ｅ２倍の光パワーとなる部分における光スポットの中心から円周までの距離（ｘ軸方向）としたが、光信号のスペクトル形状がガウス分布ならば、ビーム半径ωを、半値全幅（FWHM：full width half maximum）としてもよい。
【００５９】
また、光信号の種類ごとに、測定データの加算値を光パワーに変換する変換関数ｆ（）を予め求め、各応答特性に対応して応答特性記憶手段２１に記憶させてもよい。そして、パワー演算手段２３が、光信号の種類ごとに最適な変換関数ｆ（）を用いて光パワーを演算する。
【図面の簡単な説明】
【００６０】
【図１】本発明の第１の実施例を示した構成図である。
【図２】図１に示す装置の動作を説明したフローチャートである。
【図３】本発明の第２の実施例を示した構成図である。
【図４】従来のＷＤＭ信号モニタの構成を示した図である。
【図５】フォトダイオードアレイの受光面上に収束した被測定光および被測定光のスペクトルを示した図である
【符号の説明】
【００６１】
１０  分光器
１３  回折格子（波長分散手段）
１７  可変スリット
１８  検出器
２１、２５  応答特性記憶手段
２３  信号判定手段
２４、２６  パワー演算手段
ＰＤ  フォトダイオード
【図１】
2007278958.tif 000004
【図２】
2007278958.tif 000005
【図３】
2007278958.tif 000006
【図４】
2007278958.tif 000007
【図５】
2007278958.tif 000008